(57)【要約】【課題】機械式メータのグラフィック画像を表示するスピードメータにおいて、ドライバの違和感が少ない指針の動きを実現する。【解決手段】表示部３０は、指針により車速を示すメータの画像を表示する。処理部１０は、入力される車速情報から前記指針の画像を生成する。処理部１０は、現在表示している前記指針の位置と、前記現在表示している前記指針の前に表示していた前記指針の位置との角度データの差分１と、現在表示している前記指針の位置と、前記現在表示している前記指針から後に表示予定の前記指針の位置との角度データの差分２とを比較し、前記角度データの差分１と前記角度データの差分２の符号が一致する場合、表示予定の画像を表示し、前記角度データの差分１と前記角度データの差分２の符号が不一致の場合、前記車速の変化に応じたヒステリシスを付加した画像を表示する。【選択図】図１
2019168296.tif 000002
【特許請求の範囲】
【請求項１】
表示部と、
前記表示部に指針で車速を示すメータ画像の表示のため、入力される車速情報から前記指針の画像を生成する処理部を備え、
前記処理部は、
現在表示している前記指針の位置と当該表示の前に表示していた前記指針の位置との角度データの差分１と、現在表示している前記指針の位置と後に表示する予定の前記指針の位置との角度データの差分２との符号が一致する場合、前記車速の変化に応じた画像を生成し、また
前記角度データの差分１と前記角度データの差分２の符号が不一致の場合、前記車速の変化に応じたヒステリシスを付加した画像を生成し、
前記処理部で生成したメータ画像を表示する表示装置。
【請求項２】
前記処理部は、
前記角度データの差分１と前記角度データの差分２の符号が一致する場合、前記後に表示する予定の前記指針の位置の画像を前記表示部に表示させ、
前記角度データの差分１と前記角度データの差分２の符号が不一致の場合において、前記角度データの差分２が閾値以上である場合、前記後に表示する予定の前記指針の位置の画像を前記表示部に表示させ、前記角度データの差分２が前記閾値未満である場合、前記現在表示している前記指針の位置の画像を前記表示部に表示させる請求項１に記載の表示装置。
【請求項３】
前記処理部はオートクルーズ機能が有効な状態では、前記車速の変化に応じたヒステリシスを付加した画像を表示する請求項１または２に記載の表示装置。
【請求項４】
入力される車速情報から、車速を示すメータの画像内において現在表示している指針の位置と当該表示の前に表示していた前記指針の位置との角度データの差分１と、現在表示している前記指針の位置と後に表示する予定の前記指針の位置との角度データの差分２との符号が一致する場合、前記車速の変化に応じた画像を生成し、前記角度データの差分１と前記角度データの差分２の符号が不一致の場合、前記車速の変化に応じたヒステリシスを付加した画像を生成するステップと、
生成された画像を表示するステップと、
を有する表示方法。
【請求項５】
入力される車速情報から、車速を示すメータの画像内において現在表示している指針の位置と当該表示の前に表示していた前記指針の位置との角度データの差分１と、現在表示している前記指針の位置と後に表示する予定の前記指針の位置との角度データの差分２との符号が一致する場合、前記車速の変化に応じた画像を生成し、前記角度データの差分１と前記角度データの差分２の符号が不一致の場合、前記車速の変化に応じたヒステリシスを付加した画像を生成する処理と、
生成された画像を表示する処理と、
をコンピュータに実行させる表示プログラム。
【発明の詳細な説明】
【技術分野】
【０００１】
本発明は、指針により車速を示すアナログメータのグラフィック画像を表示する表示装置、表示方法、及び表示プログラムに関する。
【背景技術】
【０００２】
車両のインストルメントパネルには一般的に、機械式のスピードメータが設置されているが、近年、液晶ディスプレイや有機ＥＬディスプレイを使用した電子表示式のメータも実用化されてきている。電子表示式の中にも、数字で車速を表示するデジタル表示式と、機械式のスピードメータをグラフィック画像で表示するアナログ表示式がある。スピードメータは方式を問わず、原則的に実際の速度変化に追従した動きをすることが求められる。
【０００３】
近年、オートクルーズ機能を搭載した車両が増えている。スピードメータはオートクルーズ設定が有効な期間中、設定された車速で安定して走行していることをドライバに体感させる働きも求められる。しかしながら実際の車速は例えば、約０．０１ｋｍ／ｈ単位で変化しており、その変化をそのままスピードメータに反映させてしまうと、ドイラバに速度が安定していない印象を与える。それによりドライバに違和感や不快感を与える可能性がある。
【０００４】
モータ駆動の機械式アナログメータではモータ内にあるギヤのヒステリシスによって、±約０．５ｋｍ／ｈ以下の車速変化は針の動きに表れない場合がある。一方、電子表示式のスピードメータでは０．０１ｋｍ／ｈ単位の車速変化も表示に反映させることができる。
【０００５】
デジタル表示式のスピードメータにおいてドライバの違和感や不快感を緩和するために、一定値以上の車速変化が継続して発生したことを条件に表示を更新する手法(例えば、特許文献１参照)や、ヒステリシス制御においてシーンによってヒステリシスの幅を変化させる手法(例えば、特許文献２参照）が提案されている。
【先行技術文献】
【特許文献】
【０００６】
【特許文献１】特開２０１３−６４６６１号公報
【特許文献２】特開２０１５−１８７５４９号公報
【発明の概要】
【発明が解決しようとする課題】
【０００７】
機械式メータのグラフィック画像を表示するアナログ表示方式に、デジタル表示式のスピードメータのヒステリシス制御を適用した場合、針の動きが滑らかにならず、カクカクした動きになる場合がある。例えば、一定の速度で加速または減速しているにも関わらず、針の動きが滑らかに変化せずにカクカクした動きになる場合がある。これは実際の機械式のアナログメータでは発生しない針の動きである。ドライバにとっても体感と異なる針の動きに見え、違和感や不快感の原因となる。
【０００８】
本発明はこうした状況に鑑みなされたものであり、その目的は、機械式メータのグラフィック画像を表示するスピードメータにおいて、ドライバの違和感が少ない指針の動きを実現する技術を提供することにある。
【課題を解決するための手段】
【０００９】
上記課題を解決するために、本発明のある態様の表示装置は、表示部と、前記表示部に指針で車速を示すメータ画像の表示のため、入力される車速情報から前記指針の画像を生成する処理部を備える。前記処理部は、現在表示している前記指針の位置と当該表示の前に表示していた前記指針の位置との角度データの差分１と、現在表示している前記指針の位置と後に表示する予定の前記指針の位置との角度データの差分２との符号が一致する場合、前記車速の変化に応じた画像を生成し、また前記角度データの差分１と前記角度データの差分２の符号が不一致の場合、前記車速の変化に応じたヒステリシスを付加した画像を生成し、前記処理部で生成したメータ画像を表示する。
【００１０】
なお、以上の構成要素の任意の組み合わせ、本発明の表現を方法、装置、システム、コンピュータプログラム、コンピュータプログラムを記録した記録媒体などの間で変換したものもまた、本発明の態様として有効である。
【発明の効果】
【００１１】
本発明によれば、機械式メータのグラフィック画像を表示するスピードメータにおいて、ドライバの違和感が少ない指針の動きを実現することができる。
【図面の簡単な説明】
【００１２】
【図１】本発明の実施の形態に係る表示装置の構成を示す図である。
【図２】処理部の基本動作を説明するためのフローチャートである。
【図３】図３（ａ）、（ｂ）は、アナログメータにおける車速と角度との対応関係の一例を示す図である。
【図４】図４（ａ）、（ｂ）は、アナログメータにおけるヒステリシス付加処理を説明するための図である。
【図５】図５（ａ）−（ｄ）は、アナログメータの指針の動きにヒステリシスを付加しないケースと、付加するケースを説明するためのイメージ図である。
【図６】図２のステップＳ１４のヒステリシス付加処理の詳細を示すフローチャートである。
【図７】図６のヒステリシス付加処理の具体例を示す図である。
【図８】処理部の応用動作を説明するためのフローチャートである。
【発明を実施するための形態】
【００１３】
図１は、本発明の実施の形態に係る表示装置１の構成を示す図である。表示装置１は処理部１０、記憶部２０及び表示部３０を備える。表示部３０は液晶ディスプレイ（例えば、ＴＦＴ液晶ディスプレイ）や有機ＥＬディスプレイ等のディスプレイを備える。表示部３０は、指針により車速を示すアナログメータのグラフィック画像を表示する。
【００１４】
記憶部２０は不揮発性メモリ（例えばフラッシュメモリ、ハードディスク）を備える。記憶部２０はアナログメータのグラフィック画像を生成するための頂点データやテクスチャデータを記憶する。なお表示部３０にはアナログメータ以外にも、警告ランプ、アイコン、文字等の各種情報を表示可能であり、記憶部２０には各種情報を表示するためのデータも記憶されている。
【００１５】
処理部１０は、車両内の車速センサに接続されたＥＣＵ（Electronic Control Unit)から車載ネットワーク（例えば、ＣＡＮ（Controller Area Network））を介して車速情報を取得する。処理部１０は取得した車速情報をもとにグラフィック画像内の指針の位置を決定する。処理部１０は決定した指針位置のグラフィック画像を生成し、生成したグラフィック画像を表示部３０に出力する。
【００１６】
処理部１０は通信部１１、信号処理部１２及び描画部１３を含む。処理部１０の構成はハードウェア資源とソフトウェア資源の協働、又はハードウェア資源のみにより実現できる。ハードウェア資源としてＣＰＵ、ＧＰＵ（Graphics Processing Unit）、ＦＰＧＡ（Field Programmable Gate Array）、ＡＳＩＣ（Application Specific Integrated Circuit）、ＲＯＭ、ＲＡＭ、その他のＬＳＩを利用できる。ソフトウェア資源としてファームウェア、レンダリングエンジン等のプログラムを利用できる。
【００１７】
通信部１１はＥＣＵから送信される車速情報を所定の通信規格に従い受信する。通信部１１はフェールセーフ機能を有しており、通信に異常が発生したとき所定のフェールセーフ処理を実行する。通信部１１は例えば、ＣＡＮコントローラで構成することができる。信号処理部１２は通信部１１が受信した車速情報に対して所定の信号処理を実行し、グラフィック画像内の指針の位置を決定する。描画部１３は、信号処理部１２により決定された指針の位置をもとに指針の描画データを配置し、アナログメータのグラフィック画像を生成する。描画部１３により生成されたアナログメータのグラフィック画像は表示部３０に出力される。
【００１８】
図２は、処理部１０の基本動作を説明するためのフローチャートである。通信部１１は、車載ネットワークを介して車速データを所定の時間間隔で受信する（Ｓ１０）。車速データの解像度は例えば、０．０１ｋｍ／ｈに設定される。
【００１９】
信号処理部１２は受信された車速データのノイズを除去する（Ｓ１１）。例えば信号処理部１２は、一定期間に受信された複数の車速データの移動平均値を算出して車速データを平滑化することによりノイズを除去する。なお移動平均値を算出する際、例えば、一番高い値の車速データから所定数の車速データを、及び一番低い値の車速データから所定数の車速データを除いた残りの車速データをもとに算出してもよい。この場合、異常値の影響により平均値が歪むことを防止することができる。
【００２０】
信号処理部１２はノイズを除去した車速データを、アナログメータの指針の角度データに変換する（Ｓ１２）。例えば信号処理部１２は、車速０ｋｍ／ｈの指針の位置を０°とする、車速と角度との対応関係を規定した変換テーブル又は変換関数を用いて車速データを角度データに変換する。なお車速と角度との対応関係はアナログメータの意匠に依存する。アナログメータの意匠により車速の目盛りの間隔が変わってくるため、表示するアナログメータの意匠に応じた変換テーブル又は変換関数を用意する必要がある。
【００２１】
図３（ａ）、（ｂ）は、アナログメータＭ１における車速と角度との対応関係の一例を示す図である。変換対象の車速データは、図３（ｂ）に示す変換テーブルを参照することにより、車速０ｋｍ／ｈの目盛り位置からの回転角度に変換される。図３（ａ）に示すように、変換された回転角度に応じてアナログメータＭ１内の指針Ｐ１の位置が決定される。
【００２２】
図２に戻る。信号処理部１２は変換した角度データに対して所定のフィルタ処理を実行する（Ｓ１３）。機械式アナログメータの指針は移動速度に限界があり、車速が急変した場合でも変化前の車速の位置から変化後の車速の位置まで連続的に移動する。一方、グラフィック画像を表示する本方式では原理的には、指針を変化前の車速の位置から変化後の車速の位置に瞬間的に移動させることが可能である。しかしながらそうした不連続な指針の動きはドライバにとって不自然に見える。
【００２３】
そこでステップＳ１３のフィルタ処理では、信号処理部１２は角度データに対して所定のフィルタを適用することにより、フィルタ処理後の角度データ（以下、フィルタ処理値Ｆｎという）を算出する。信号処理部１２は算出したフィルタ処理値Ｆｎに対して、ヒステリシス付加処理を実行する（Ｓ１４）。描画部１３は、信号処理部１２により信号処理された値をもとに描画処理を実行する（Ｓ１５）。
【００２４】
図４（ａ）、（ｂ）は、アナログメータＭ１におけるヒステリシス付加処理を説明するための図である。ヒステリシス付加処理とは入力値の小さな変化に反応しない不感帯を設け、入力値が不感帯に収まっている場合は当該入力値を出力値に反映させない処理である。
【００２５】
図４（ａ）はアナログメータＭ１の指針Ｐ１の動きにヒステリシスを付加しない場合のイメージ図である。この場合、車速の微小な変化に追従して指針Ｐ１が前後に振れる。図４（ｂ）はアナログメータＭ１の指針Ｐ１の動きにヒステリシスを付加した場合のイメージ図である。この場合、車速の微小な変化は指針Ｐ１の変化に現れなくなる。
【００２６】
図５（ａ）−（ｄ）は、アナログメータＭ１の指針Ｐ１の動きにヒステリシスを付加しないケースと、付加するケースを説明するためのイメージ図である。図５（ａ）は加速が継続しているケースであり、加速の継続中は指針Ｐ１の動きにヒステリシスを付加しない。図５（ｂ）は減速が継続しているケースであり、減速の継続中は指針Ｐ１の動きにヒステリシスを付加しない。図５（ｃ）は加速後に減速したケースであり、原則として指針Ｐ１の動きにヒステリシスを付加する。図５（ｄ）は減速後に加速したケースであり、原則として指針Ｐ１の動きにヒステリシスを付加する。
【００２７】
図６は、図２のステップＳ１４のヒステリシス付加処理の詳細を示すフローチャートである。信号処理部１２は増減方向パラメータＰＮｎに初期値として０を設定する（Ｓ１４ａ）。信号処理部１２はフィルタ処理値Ｆｎを取得する（Ｓ１４ｂ）。信号処理部１２は、今回取得したフィルタ処理値Ｆｎから前回の表示値Ｓｎ−１を減算して差分値Ｗｎを算出する（Ｓ１４ｃ）。信号処理部１２は差分値Ｗｎが０より大きい場合は増減方向パラメータＰＮｎに正を設定し、差分値Ｗｎが０の場合は増減方向パラメータＰＮｎに０を設定し、差分値Ｗｎが０より小さい場合は増減方向パラメータＰＮｎに負を設定する（Ｓ１４ｄ）。
【００２８】
信号処理部１２は前回の増減方向パラメータＰＮｎ−１の符号と今回の増減方向パラメータＰＮｎの符号が反転しているか否か判定する（Ｓ１４ｅ）。符号が反転している場合とは、ＰＮｎ−１＝正＆ＰＮｎ＝負の場合、又はＰＮｎ−１＝負＆ＰＮｎ＝正の場合である。符号が反転していない場合とは、ＰＮｎ−１＝正＆ＰＮｎ＝正の場合、ＰＮｎ−１＝負＆ＰＮｎ＝負の場合、ＰＮｎ−１＝正＆ＰＮｎ＝０の場合、ＰＮｎ−１＝負＆ＰＮｎ＝０の場合、ＰＮｎ−１＝０＆ＰＮｎ＝０の場合、ＰＮｎ−１＝０＆ＰＮｎ＝正の場合、又はＰＮｎ−１＝０＆ＰＮｎ＝負の場合である。
【００２９】
符号が反転していない場合（Ｓ１４ｅのＮ）、信号処理部１２は今回のフィルタ処理値Ｆｎを今回の表示値Ｓｎに設定する（Ｓ１４ｆ）。信号処理部１２は今回の表示値Ｓｎを描画部１３に出力する（Ｓ１４ｇ）。信号処理部１２は今回の増減方向パラメータＰＮｎが０である場合（Ｓ１４ｈのＹ）、今回の増減方向パラメータＰＮｎを前回の増減方向パラメータＰＮｎに更新する（Ｓ１４ｉ）。今回の増減方向パラメータＰＮｎが０でない場合（Ｓ１４ｈのＮ）、ステップＳ１４ｉの処理はスキップする。
【００３０】
ステップＳ１４ｅの処理において符号が反転している場合（Ｓ１４ｅのＹ）、信号処理部１２は差分値Ｗｎの絶対値と設定値Ａを比較する（Ｓ１４ｊ）。設定値Ａはヒステリシス幅（不感帯）に対応し、設計者が車両の仕様、知見、実験、シミュレーションの少なくとも１つをもとに決定した値に設定される。
【００３１】
差分値Ｗｎの絶対値が設定値Ａより小さい場合（Ｓ１４ｊのＹ）、信号処理部１２は前回の表示値Ｓｎ−１をそのまま今回の表示値Ｓｎに設定する（Ｓ１４ｋ）。信号処理部１２は今回の表示値Ｓｎを描画部１３に出力し（Ｓ１４ｌ）、今回の増減方向パラメータＰＮｎを前回の増減方向パラメータＰＮｎに更新する（Ｓ１４ｉ）。差分値Ｗｎの絶対値が設定値Ａ以上の場合（Ｓ１４ｊのＮ）、信号処理部１２は今回のフィルタ処理値Ｆｎを今回の表示値Ｓｎに設定する（Ｓ１４ｍ）。信号処理部１２は今回の表示値Ｓｎを描画部１３に出力する（Ｓ１４ｎ）。以上のステップＳ１４ｂからステップＳ１４ｎまでの処理が、アナログメータの描画処理が継続している間（Ｓ１４ｏのＮ）、繰り返し実行され、描画処理が終了すると（Ｓ１４ｏのＹ）、終了する。
【００３２】
図７は、図６のヒステリシス付加処理の具体例を示す図である。実線はフィルタ処理値Ｆｎの推移を示し、点線が表示部３０に実際に表示される表示値Ｓｎの推移を示している。「＊」はフィルタ処理値Ｆｎと表示値Ｓｎが略一致している状態を示している。「マル」はフィルタ処理値Ｆｎと表示値Ｓｎに乖離があるが、その乖離が設定値Ａの範囲内に収まる状態を示している。「バツ」はフィルタ処理値Ｆｎと表示値Ｓｎが乖離しており、その乖離が設定値Ａの範囲を超えている状態を示している。「マル」の状態ではフィルタ処理値Ｆｎが変化しても表示値Ｓｎが一定に維持される。「バツ」の状態ではフィルタ処理値Ｆｎが変化すると表示値Ｓｎがその変化に追従する。
【００３３】
図８は、処理部１０の応用動作を説明するためのフローチャートである。応用動作ではオートクルーズ機能（クルーズコントロール機能ともいう）を搭載した車両を前提とする。図２に示した基本動作ではステップＳ１４のヒステリシス付加処理を常に実行する例を説明した。この点、図８に示す応用例ではオートクルーズ機能が有効な状態では（Ｓ１３５のＹ）、ステップＳ１４のヒステリシス付加処理を実行し、オートクルーズ機能が無効な状態では（Ｓ１３５のＮ）、ステップＳ１４のヒステリシス付加処理を実行しない。この場合、ステップＳ１３で算出されたフィルタ処理値Ｆｎが常に表示値として使用される。
【００３４】
以上説明したように本実施の形態によれば、機械式メータのグラフィック画像を表示するアナログ表示式のスピードメータにおいて、同一方向への車速変化に対してはヒステリシスを付加しない。同一方向への車速変化とは例えば、加速を続けている、もしくは、減速を続けていることである。一方、反対方向への車速変化に対してヒステリシスを付加する。反対方向への車速の変化とは、例えば、加速から減速、減速から加速に変化することである。以上により、ドライバの違和感が少ない指針の動きを実現することができる。即ち、ドライバが体感する車速変化と、アナログ表示式のスピードメータ内の指針が示す車速との差異を小さくすることができる。
【００３５】
車両が加速または減速している間は、アナログメータの指針は一方向に滑らかに変動すべきであり、カクカクした動きの要因となるヒステリシスを付加すべきではない。加速から減速、又は減速から加速に切り替わる際にアナログメータの指針が急な動きをすることに対しては、一般的にドライバの違和感は小さい。数字で車速を表示するデジタル表示式の場合は、同一方向への車速の表示更新と反対方向への車速の表示更新との間で見た目の印象に殆ど差異がない。一方、アナログ表示式の場合は、同一方向への指針の動きと反対方向への指針の動きとの間で見た目の印象に大きな差異が発生する。
【００３６】
また機械式メータのグラフィック画像を表示するスピードメータにおいて、画像内の指針が短時間に前後に揺れる現象は表示のちらつきに見え、不快感を覚えるドライバもいる。この指針の揺れは、片方向への車速変化に対してヒステリシスを付加するだけでも大きく改善する。
【００３７】
オートクルーズ機能が有効に設定されているときは、車両は設定された車速を維持することが求められている。その状態においてドライバが感知できない程度の微小な車速変化をスピードメータの表示に全て反映させることは実益に乏しく、ドライバに不快感を与えるデメリットの方が大きいといえる。従って、オートクルーズ機能が有効なときは、指針の動きにヒステリシスを付加する必要性がより高い状態といえる。
【００３８】
なおオートクルーズ機能が有効なときでも、前方車両の減速などによる減速や、減速状態から復帰するための加速が必要になるときがある。その場合、速度変化に対して指針が滑らかに変動することが望ましい。本実施の形態に係る表示装置１によれば、以上の要求を満たす指針の動きが可能である。
【００３９】
以上、本発明を実施の形態をもとに説明した。実施の形態は例示であり、それらの各構成要素または各処理プロセスの組み合わせに、いろいろな変形例が可能なこと、またそうした変形例も本発明の範囲にあることは当業者に理解されるところである。
【００４０】
上述の実施の形態では上記ヒステリシス付加処理を常時（図２参照）、又はオートクルーズ機能が有効なときのみ（図７参照）実行する例を説明した。この点、上記ヒステリシス付加処理の有効または無効を搭乗者が手動で切り替え可能に設計されていてもよい。ドライバの中には、車速変化を全てアナログメータの指針に反映させることを望むドライバもいると考えられる。上記ヒステリシス付加処理の手動切替機能を搭載することにより、このようなニーズにも応えることができる。
【００４１】
また、角度データの算出などの処理を表示装置内で行った実施例を示したが、角度データの算出などの処理は表示装置内に限られているわけではなく、表示装置とは別の装置（例えばＥＣＵ）で算出し、表示装置に画像を表示するシステムの構成にしてもよい。この場合は、処理を（例えばＥＣＵ）で処理するために、表示装置での処理負荷が低減され、表示装置の小型化となる。さらに、車両の情報をＥＣＵで収集し、処理することで、車全体としての情報処理が向上する。
【００４２】
なお、実施の形態は、以下の項目によって特定されてもよい。
【００４３】
［項目１］
表示部（３０）と、
前記表示部（３０）に指針で車速を示すメータ画像の表示のため、入力される車速情報から前記指針の画像を生成する処理部（１０）を備え、
前記処理部（１０）は、
現在表示している前記指針の位置と当該表示の前に表示していた前記指針の位置との角度データの差分１と、現在表示している前記指針の位置と後に表示する予定の前記指針の位置との角度データの差分２との符号が一致する場合、前記車速の変化に応じた画像を生成し、また
前記角度データの差分１と前記角度データの差分２の符号が不一致の場合、前記車速の変化に応じたヒステリシスを付加した画像を生成し、
前記処理部（１０）で生成したメータ画像を表示する表示装置（１）。
これによれば、指針により車速を示すメータの画像を表示する表示装置において、ドライバの違和感が少ない指針の動きを実現することができる。
［項目２］
前記処理部（１０）は、
前記角度データの差分１と前記角度データの差分２の符号が一致する場合、前記後に表示する予定の前記指針の位置の画像を前記表示部（３０）に表示させ、
前記角度データの差分１と前記角度データの差分２の符号が不一致の場合において、前記角度データの差分２が閾値以上である場合、前記後に表示する予定の前記指針の位置の画像を前記表示部（３０）に表示させ、前記角度データの差分２が前記閾値未満である場合、前記現在表示している前記指針の位置の画像を前記表示部（３０）に表示させる項目１に記載の表示装置（１）。
これによれば、前記角度データの差分１と前記角度データの差分２の符号が不一致で、前記角度データの差分２が小さいときは前記現在表示している指針の位置の画像をそのまま表示させることにより、見た目の違和感が少ないヒステリシスを付加することができる。
［項目３］
前記処理部（１０）はオートクルーズ機能が有効な状態では、前記車速の変化に応じたヒステリシスを付加した画像を表示する項目１または２に記載の表示装置（１）。
これによれば、オートクルーズ機能が有効な状態において、ドライバの違和感が少ない指針の動きを実現することができる。
［項目４］
入力される車速情報から、車速を示すメータの画像内において現在表示している指針の位置と当該表示の前に表示していた前記指針の位置との角度データの差分１と、現在表示している前記指針の位置と後に表示する予定の前記指針の位置との角度データの差分２との符号が一致する場合、前記車速の変化に応じた画像を生成し、前記角度データの差分１と前記角度データの差分２の符号が不一致の場合、前記車速の変化に応じたヒステリシスを付加した画像を生成するステップと、
生成された画像を表示するステップと、
を有する表示方法。
これによれば、指針により車速を示すメータの画像を表示する表示方法において、ドライバの違和感が少ない指針の動きを実現することができる。
［項目５］
入力される車速情報から、車速を示すメータの画像内において現在表示している指針の位置と当該表示の前に表示していた前記指針の位置との角度データの差分１と、現在表示している前記指針の位置と後に表示する予定の前記指針の位置との角度データの差分２との符号が一致する場合、前記車速の変化に応じた画像を生成し、前記角度データの差分１と前記角度データの差分２の符号が不一致の場合、前記車速の変化に応じたヒステリシスを付加した画像を生成する処理と、
生成された画像を表示する処理と、
をコンピュータに実行させる表示プログラム。
これによれば、指針により車速を示すメータの画像を表示する表示プログラムにおいて、ドライバの違和感が少ない指針の動きを実現することができる。
【符号の説明】
【００４４】
１  表示装置、  １０  処理部、  １１  通信部、  １２  信号処理部、  １３  描画部、  ２０  記憶部、  ３０  表示部。
【図１】
2019168296.tif 000003
【図２】
2019168296.tif 000004
【図３】
2019168296.tif 000005
【図４】
2019168296.tif 000006
【図５】
2019168296.tif 000007
【図６】
2019168296.tif 000008
【図７】
2019168296.tif 000009
【図８】
2019168296.tif 000010